(57)【要約】【課題】小容量のＰＩＯ情報を伝送する場合にプログラマブル・コントローラと比較して安価でかつ簡便な伝送方式によりＰＩＯ情報を伝送するＰＩＯ伝送装置システムを得る。【解決手段】設置場所Ｙに設置された主機８から出力されたＰＩＯ情報を、設置場所Ｙに設置され、ＰＩＯ情報とＩＰ情報を変換する接点ＩＰ変換器５及びＩＰ情報とアナログ信号を変換するＩＰモデム４を介して、メタルケーブルで接続された設置場所ＸのＩＰモデム３に伝送し、さらに接点ＩＰ変換器２を経由して、設置場所Ｘに設置された子局１が収集するようにし、子局１からは、この経路を逆に経由してＰＩＯ情報を主機８に伝送するようにした。【選択図】図１
2008129783.tif 000002
【特許請求の範囲】
【請求項１】
ＰＩＯ（Ｐｒｏｃｅｓｓ  Ｉｎｐｕｔ  Ｏｕｔｐｕｔ）情報入出力装置から出力されたＰＩＯ情報を伝送手段を介して収集するとともに上記ＰＩＯ情報入出力装置にＰＩＯ情報を出力するＰＩＯ情報収集装置と、
上記伝送手段の両側に設けられて、上記伝送手段により第一の形式の情報をやり取りするとともに上記第一の形式の情報及び第二の形式の情報を相互に変換するインタフェイスと、
このインタフェイスと上記ＰＩＯ情報入出力装置または上記ＰＩＯ情報収集装置の間に設けられて、上記第二の形式の情報及び上記ＰＩＯ情報を相互に変換する変換器とを備えたことを特徴とするＰＩＯ伝送装置システム。
【請求項２】
上記インタフェイス及び上記変換器は、上記ＰＩＯ情報入出力装置側及びＰＩＯ情報収集装置側にそれぞれ一式設けられ、上記インタフェイスは、メタルケーブルを伝送手段とするＩＰ（Ｉｎｔｅｒｎｅｔ  Ｐｒｏｔｏｃｏｌ）モデムであることを特徴とする請求項１記載のＰＩＯ伝送装置システム。
【請求項３】
上記ＰＩＯ情報入出力装置側及びＰＩＯ情報収集装置側の上記インタフェイス及び変換器により回線が形成されるとともに、上記ＰＩＯ情報収集装置が収集するＰＩＯ情報には回線状態を示す情報が含まれることを特徴とする請求項１または請求項２記載のＰＩＯ伝送装置システム。
【請求項４】
上記インタフェイス及び上記変換器は、上記ＰＩＯ情報入出力装置側及びＰＩＯ情報収集装置側にそれぞれ対向するように二式設けられ、上記ＰＩＯ情報入出力装置側及びＰＩＯ情報収集装置側の上記二式のインタフェイス及び変換器により二回線が形成され、上記インタフェイスは、メタルケーブルを伝送手段とするＩＰモデムであり、上記ＰＩＯ情報収集装置が収集するＰＩＯ情報には回線状態を示す情報が含まれるとともに、上記ＰＩＯ情報収集装置は、上記回線状態を反映させた上記ＰＩＯ情報の収集及び出力を行うことを特徴とする請求項１記載のＰＩＯ伝送装置システム。
【請求項５】
上記インタフェイス及び上記変換器は、上記ＰＩＯ情報入出力装置側及びＰＩＯ情報収集装置側にそれぞれ対向するように二式設けられ、上記ＰＩＯ情報入出力装置側及びＰＩＯ情報収集装置側の上記二式のインタフェイス及び変換器により二回線が形成され、上記インタフェイスは、メタルケーブルを伝送手段とするＩＰモデムであり、上記ＰＩＯ情報収集装置は上記二回線を介して収集した二つのＰＩＯ情報を比較することにより回線状態を判定するとともに、上記ＰＩＯ情報収集装置は、上記回線状態を反映させた上記ＰＩＯ情報の出力を行うことを特徴とする請求項１記載のＰＩＯ伝送装置システム。
【請求項６】
上記インタフェイス及び上記変換器は、上記ＰＩＯ情報入出力装置側及びＰＩＯ情報収集装置側にそれぞれ一式設けられ、上記インタフェイスは、無線ＬＡＮであることを特徴とする請求項１記載のＰＩＯ伝送装置システム。
【請求項７】
上記インタフェイス及び上記変換器は、上記ＰＩＯ情報入出力装置側及びＰＩＯ情報収集装置側にそれぞれ一式設けられ、上記インタフェイスは、光ケーブルを伝送手段とするメディアコンバータであることを特徴とする請求項１記載のＰＩＯ伝送装置システム。
【発明の詳細な説明】
【技術分野】
【０００１】
この発明は、簡便な手段にて確実にＰＩＯ（Ｐｒｏｃｅｓｓ  Ｉｎｐｕｔ  Ｏｕｔｐｕｔ）情報を伝送するＰＩＯ伝送装置システムに関するものである。
【背景技術】
【０００２】
従来は、ＰＩＯ情報を伝送する場合、特許文献１、特許文献２に示されるように、プログラマブル・コントローラを使用した構成が用いられていた。
【０００３】
【特許文献１】特開昭５８−１６１００３号公報（第２〜７頁、図１）
【特許文献２】特開昭６１−２９４５０６号公報（第２〜４頁、図１）
【発明の開示】
【発明が解決しようとする課題】
【０００４】
従来のＰＩＯ伝送では、シーケンス制御装置、コントローラ本体といった主局、プロセス入出力装置、入力ユニット・出力ユニットといった従局が必要であった。この場合、主局は、専用の伝送方法で従局からＰＩＯ情報を収集・出力しているが、製品は、対応する最大ＰＩＯ点数を考慮した設計を行う必要があり、小容量のＰＩＯを対向で伝送する場合、ＰＩＯの点数に合わせ、伝送効率を上げることは可能であっても、主局及び従局間の伝送方式が複雑となり、高価となる問題があった。
【０００５】
この発明は、上記のような課題を解決するためになされたものであり、小容量のＰＩＯ情報を伝送する場合にプログラマブル・コントローラと比較して安価でかつ簡便な伝送方式によりＰＩＯ情報を伝送するＰＩＯ伝送装置システムを得ることを目的としている。
【課題を解決するための手段】
【０００６】
この発明に係わるＰＩＯ伝送装置システムにおいては、ＰＩＯ情報入出力装置から出力されたＰＩＯ情報を伝送手段を介して収集するとともにＰＩＯ情報入出力装置にＰＩＯ情報を出力するＰＩＯ情報収集装置と、
伝送手段の両側に設けられて、伝送手段により第一の形式の情報をやり取りするとともに第一の形式の情報及び第二の形式の情報を相互に変換するインタフェイスと、
このインタフェイスとＰＩＯ情報入出力装置またはＰＩＯ情報収集装置の間に設けられて、第二の形式の情報及びＰＩＯ情報を相互に変換する変換器とを備えたものである。
【発明の効果】
【０００７】
この発明は、以上説明したように、ＰＩＯ情報入出力装置から出力されたＰＩＯ情報を伝送手段を介して収集するとともにＰＩＯ情報入出力装置にＰＩＯ情報を出力するＰＩＯ情報収集装置と、
伝送手段の両側に設けられて、伝送手段により第一の形式の情報をやり取りするとともに第一の形式の情報及び第二の形式の情報を相互に変換するインタフェイスと、
このインタフェイスとＰＩＯ情報入出力装置またはＰＩＯ情報収集装置の間に設けられて、第二の形式の情報及びＰＩＯ情報を相互に変換する変換器とを備えたので、小容量のＰＩＯ情報を伝送する場合にプログラマブル・コントローラを用いるものと比較して安価でかつ簡便にＰＩＯ情報を伝送することができる。
【発明を実施するための最良の形態】
【０００８】
実施の形態１．
以下、本願発明の実施の形態について説明する。
図１は、この発明の実施の形態１によるＰＩＯ伝送装置システムを示す構成図であり、ＩＧ子局でＰＩＯ情報を取り込む例について示している。
図１において、ＩＧ子局（ＩｎｔｅｌｌｉＧｅｎｔ子局）１（ＰＩＯ情報収集装置）は、設置場所ＸにてＰＩＯ情報を収集、出力するため、主機９と接続される。ＩＧ子局１と主機９の間に接続される制御リレー７は、主機９に制御出力を行う際の電気レベル変換を行う。また、ＩＧ子局１は、別場所のＰＩＯ情報を収集、出力するため、接点ＩＰ（Ｉｎｔｅｒｎｅｔ  Ｐｒｏｔｏｃｏｌ）変換器２（変換器）と接続される。
接点ＩＰ変換器５は、設置場所Ｙにて主機８（ＰＩＯ情報入出力装置）と接続され、設置場所ＹのＰＩＯ情報を収集・出力する。接点ＩＰ変換器５と主機８の間に接続される制御リレー６は、制御リレー７と同様、主機８に制御出力を行う際の電気レベル変換を行う。
ＩＰモデム３、４（インタフェイス）は、それぞれ設置場所Ｘ、設置場所Ｙに設置され、各々に設置の接点ＩＰ変換器２、５と接続されるとともに、モデム間はメタルケーブル（伝送手段）により接続される。
【０００９】
図２は、図１のＰＩＯ伝送装置システムのＩＧ子局におけるＰＩＯ情報の入出力処理を示す説明図であり、図２（ａ）は、プロセス入力処理、図２（ｂ）は、プロセス出力処理である。
【００１０】
図３は、図１のＰＩＯ伝送装置システムの接点ＩＰ変換器におけるＰＩＯ情報からＩＰ情報への変換、およびＩＰ情報からＰＩＯ情報への変換処理を示す説明図であり、図３（ａ）は、ＰＩＯ情報からＩＰ情報（第二の形式の情報）への変換処理、図３（ｂ）は、ＩＰ情報からＰＩＯ情報への変換処理である。
【００１１】
図４は、図１のＰＩＯ伝送装置システムのＩＰモデムにおけるＩＰ情報からアナログ信号への変換、およびアナログ信号からＩＰ情報への変換処理を示す説明図であり、図４（ａ）は、ＩＰ情報からアナログ信号（第一の形式の情報）への変換処理、図４（ｂ）は、アナログ信号からＩＰ情報への変換処理である。
図５は、図２のＩＧ子局におけるＰＩＯ情報の入出力処理を示すフローチャートであり、図５（ａ）は、プロセス入力処理、図５（ｂ）は、プロセス出力処理である。
【００１２】
次に、動作について、図２、図３、図４及び図５に基づき説明する。
まず、ＩＧ子局１にてＰＩＯ情報を収集する場合について説明する。
ＩＧ子局１が、設置場所Ｙから情報を収集する場合の情報の流れは、主機８、接点ＩＰ変換器５、ＩＰモデム４、ＩＰモデム３、接点ＩＰ変換器２、ＩＧ子局１の順となる。主機８で出力されたＰＩＯ情報は、図３（ａ）に示される通り、接点ＩＰ変換器５にて、入力したＰＩＯ情報を情報入力処理３１で取り込み、その情報を並列−直列変換処理３２で並列データ情報を直列データ情報に変換し、その情報を通信データ変換処理３３にて通信データ（ＩＰ情報）に変換し、ＩＰプロトコル通信処理３４によりＩＰモデム４に出力される。
【００１３】
接点ＩＰ変換器５より出力されたＩＰ情報は、図４（ａ）に示される通り、ＩＰモデム４にて、ＩＰプロトコル通信処理４１にて入力した通信データを通信データ変換処理４２によりデジタル情報に変換し、同情報をデジタル−アナログ変換処理４３によりアナログ信号に変換し、ＩＰモデム３に出力される。
【００１４】
ＩＰモデム４より出力された情報は、図４（ｂ）に示される通り、ＩＰモデム３にて、入力したアナログ信号をアナログ−デジタル変換処理４４によりデジタル情報に変換し、同情報を通信データ変換処理４５にて通信データ（ＩＰ情報）として変換した後、ＩＰプロトコル通信処理４６により接点ＩＰ変換器２に出力される。
【００１５】
ＩＰモデム３より出力されたＩＰ情報は、図３（ｂ）に示される通り、接点ＩＰ変換器２にて、ＩＰプロトコル通信処理３５にて入力した通信データを通信データ変換処理３６により直列データ情報とした後、同情報を直列−並列変換処理３７により並列データ情報（ＰＩＯ情報）とし、情報出力処理３８によりＩＧ子局１に出力される。
【００１６】
ＩＧ子局１では、図２（ａ）に示されるプロセス入力処理の通り、接点ＩＰ変換器２より出力されたＰＩＯ情報を情報入力処理２１で収集し、情報変化検出処理２２で変化を検出し、情報内容取得処理２３で変化のあった情報の内容（項目名称）を取得し、入力情報管理処理２４で最新情報を管理する。
【００１７】
同時にＩＧ子局１では、主機９から出力されたＰＩＯ情報も収集する。この場合も図２に示されるプロセス入力処理の通り処理を行う。
よって、ＩＧ子局１では、入力情報の変化を検出する際、設置場所Ｘ、Ｙ両方の情報を図５（ａ）に示すフローチャートの通り、変化を検出する。すなわち、ステップＳ１で、プロセス入力に変化があるかどうかの判定を行った後、ステップＳ２で、変化のあったアドレスを認識し、ステップＳ３で、ＰＩＯ情報を入力情報に変換し、ステップＳ４で、情報の変化を認識する。
この後、情報内容取得処理２３に通知することで、自場所Ｘと他場所ＹのＰＩＯ情報を同じ動作で収集することができる。
【００１８】
ＩＧ子局１にて情報を出力する場合情報の流れは、設置場所Ｙの場合、ＩＧ子局１、接点ＩＰ変換器２、ＩＰモデム３、ＩＰモデム４、接点ＩＰ変換器５、制御リレー６、主機８の順となる。
また、設置場所Ｘの場合、ＩＧ子局１、制御リレー７、主機９となる。
設置場所Ｘの主機９、設置場所Ｙの主機８に対して出力を行う場合、ＩＧ子局１より図２（ｂ）に示されるプロセス出力処理の通り、出力情報管理処理２５にて出力を起動し、出力内容認識処理２６で出力内容を確認し、その情報を出力データ設定処理２７で出力データとして設定し、情報出力処理２８にて、接点ＩＰ変換器２、もしくは制御リレー７に出力する。
よって、ＩＧ子局１では、出力する際、設置場所Ｘ、設置場所Ｙ両方の情報を図５（ｂ）に示すフローチャートの通り行う。すなわち、ステップＳ５で、プロセス出力する情報が存在するか、またステップＳ６で、それが新規に発生した情報であるかを確認した後、ステップＳ７で、出力情報をＰＩＯ情報に変換し、ステップＳ８で、該当アドレスに情報を設定し、次いでステップＳ９で、情報の出力を行うことで、自場所Ｘと他場所ＹのＰＩＯ情報を同じ動作で出力することができる。
【００１９】
以下、設置場所毎の出力方法について詳述する。
設置場所Ｘについては、ＩＧ子局１により出力されたＰＩＯ情報を制御リレー７で電気レベル変換を行い、主機９に出力する。
設置場所Ｙについては、ＩＧ子局１により出力されたＰＩＯ情報は、図３（ａ）に示される通り、接点ＩＰ変換器２にて、情報入力処理３１により取り込んだ情報を、並列−直列変換処理３２により直列データとした後、通信データ変換処理３３により通信データ（ＩＰ情報）として、その通信データをＩＰプロトコル通信処理３４にてＩＰモデム３に出力する。
【００２０】
接点ＩＰ変換器２より出力されたＩＰ情報は、図４（ａ）に示される通り、ＩＰモデム３にて、ＩＰプロトコル変換処理４１にて入力した通信データを通信データ変換処理４２にてデジタル情報に変換し、同情報をデジタル−アナログ変換処理４３によりアナログ信号に変換し、ＩＰモデム４に出力する。
【００２１】
ＩＰモデム３より出力された情報は、図４（ｂ）に示される通り、ＩＰモデム４にて、入力したアナログ信号をアナログ−デジタル変換処理４４によりデジタル情報に変換し、同情報を通信データ変換処理４５にて通信データ（ＩＰ情報）として変換した後、ＩＰプロトコル通信処理４６により接点ＩＰ変換器５に出力される。
【００２２】
ＩＰモデム４より出力されたＩＰ情報は、図３（ｂ）に示される通り、接点ＩＰ変換器５にて、ＩＰプロトコル通信処理３５により入力した通信データを通信データ変換処理３６により直列データ情報とした後、同情報を直列−並列変換処理３７により並列データ情報（ＰＩＯ情報）とし、情報出力処理３８により制御リレー６に出力される。
接点ＩＰ変換器５より出力されたＰＩＯ情報を制御リレー６で電気レベル変換を行い、主機８に出力する。
【００２３】
実施の形態１によれば、従来のようにプログラマブル・コントローラを用いることなく、ＩＧ子局と、接点ＩＰ変換器とＩＰモデムを用いることで、プログラマブル・コントローラを使用して実現する場合に比較して、安価でかつ簡便な処理方式にてＰＩＯ情報を収集・出力することが可能となる。
【００２４】
なお、上述の実施の形態１においては、小容量のＰＩＯ情報を収集、出力する例について説明したが、ＰＩＯ情報を収集する場合のみ、またはＰＩＯ情報を出力する場合のみについても適用することができることは言うまでもない。このことは以下の実施の形態においても同様である。
また、ＰＩＯ情報を収集、出力する方法は、上記実施の形態１に示した以外にも実施する方法があることは言うまでもなく、収集・出力する情報の重要性、伝送路の状態に応じた判断方法を適宜設定するものであり、以下の実施の形態においても同様であるため、その説明は適宜省略する。
【００２５】
実施の形態２．
図６は、この発明の実施の形態２によるＰＩＯ伝送装置システムを示す構成図である。
図６において、１〜６、８は図１におけるものと同一のものである。
【００２６】
図７は、図６のＰＩＯ伝送装置システムの接点ＩＰ変換器におけるＩＰ情報からＰＩＯ情報への変換処理、及びＰＩＯ情報からＩＰ情報への変換処理を示す説明図であり、図７（ａ）は、接点ＩＰ変換器２のＩＰ情報からＰＩＯ情報への変換処理、図７（ｂ）は、接点ＩＰ変換器５のＰＩＯ情報からＩＰ情報への変換処理である。
図８は、図６のＰＩＯ伝送装置システムのＩＧ子局におけるＰＩＯ情報の入力処理を示すフローチャートである。
図９は、図６のＰＩＯ伝送装置システムのＩＧ子局におけるＰＩＯ情報の出力処理を示すフローチャートである。
【００２７】
実施の形態２は、ＩＧ子局１と接点ＩＰ変換器のＰＩＯ情報が実施の形態１とは異なり、ＰＩＯ情報の１情報に回線状態を含むものである。
設置場所Ｙに設置された主機８で出力されたＰＩＯ情報は、図７（ｂ）に示される通り、接点ＩＰ変換器５にて、入力されたＰＩＯ情報を情報入力処理７６で取り込み、その情報に回線状態付加処理７７で回線状態情報を付加し、生成された並列データ情報を並列−直列変換処理７８にて直列データ情報化を行い、通信データ変換処理７９で通信データ（ＩＰ情報）に変換して、ＩＰプロトコル通信処理８０によりＩＰモデム４に出力される。
【００２８】
ＩＰモデム４からＩＰモデム３、接点ＩＰ変換器２に送信される方法は、実施の形態１と同様に行う。ＩＰモデム３から接点ＩＰ変換器２への送信は、図３（ｂ）と同じである。
ＩＰモデム３より出力されたＩＰ情報は、図７（ａ）に示される通り、接点ＩＰ変換器２にて、ＩＰプロトコル通信処理７１にて入力した通信データを通信データ変換処理７２により直列データ情報とした後、同情報を直列−並列変換処理７３により並列データ情報（ＰＩＯ情報）とし、回線状態確認処理７４にて回線状態情報を参照し、回線異常であれば情報出力処理７５により、他のＰＩＯ情報の出力に合せて回線状態を異常として、ＩＧ子局１に情報を出力する。
なお、回線状態情報を参照した後は、次の収集で回線状態情報を参照するため、初期値に戻す。
【００２９】
ＩＧ子局１では、実施の形態１と同様にプロセス入力処理を行う。
ただし、接点ＩＰ変換器２から出力されたＰＩＯ情報には回線状態の情報が含まれるため、図８に示されるフローチャートの通り行う。
図８において、ステップＳ１で、プロセス入出力の変化を検出し、ステップＳ２で、変化のあったアドレスを認識した後、ステップＳ１１での回線状態が異常かどうかの判定、およびステップＳ１２で、変化した情報は回線状態情報かどうかの判定を実施し、回線状態情報が異常に変化した場合、もしくは異常が継続の場合は、ステップＳ１３で、その情報を出力し、ステップＳ１のプロセス入力待ちに移行する。
ステップＳ１１で、回線状態が正常に変化した場合は、ステップＳ１４で、変化した情報は回線状態情報かどうかの判定を実施し、変化した情報が回線状態情報の場合には、ステップＳ１５で、回線状態を正常に移行し、ステップＳ３で、ＰＩＯ情報を入力情報に変換し、ステップＳ４で、変化を認識した後、情報内容取得処理に通知する。
回線状態が正常なままであれば、実施の形態１と同様、ステップＳ３で、ＰＩＯ情報を入力情報に変換し、変化を認識した後、情報内容取得処理に通知する。
【００３０】
さらに、情報収集により、ＩＧ子局１で回線異常を検出した場合、図９のプロセス出力処理において、回線異常であることの判定を行うことにより、主機に伝わらない不要な出力を抑止することができる。
図９において、ステップＳ５で、プロセス出力する情報が有るまで待ち、有る場合にはステップＳ６で、新規に発生した情報かどうかを判定し、新規でなければ、ステップＳ５に戻り、新規であれば、ステップＳ７で、出力情報をＰＩＯ情報に変換し、次いで、ステップＳ８で、該当アドレスに情報を設定し、ステップＳ１６で、回線異常かどうかを判定し、回線異常でなければ、ステップＳ９で、情報を出力して、ステップＳ５に戻る。
【００３１】
実施の形態２によれば、従来のようにプログラマブル・コントローラにて自己検出手段である異常検出回路を有して回線異常を検出することなく、接点ＩＰ変換器に回線状態確認処理を追加することで簡便な検知方式で回線の異常を検出することが可能となる。
【００３２】
実施の形態３．
図１０は、この発明の実施の形態３によるＰＩＯ伝送装置システムを示す構成図である。
図１０において、１〜６、８は図１におけるものと同一のものである。設置場所Ｘに接点ＩＰ変換器１０とこれに接続されたＩＰモデム１１を設け、設置場所ＹにＩＰモデム１１に接続されたＩＰモデム１２と、このＩＰモデム１２に接続された接点ＩＰ変換器１３と、接点ＩＰ変換器１３と主機８との間に配置された制御リレー１４を設けている。
【００３３】
図１１は、図１０のＰＩＯ伝送装置システムのＩＧ子局におけるＰＩＯ情報の入力処理を示すフローチャートである。
図１２は、図１０のＰＩＯ伝送装置システムのＩＧ子局におけるＰＩＯ情報の出力処理を示すフローチャートである。
【００３４】
実施の形態３では、接点ＩＰ変換器、ＩＰモデムの設置構成が、実施の形態１、実施の形態２とは異なり、２式備えている。
また、ＩＧ子局１と接点ＩＰ変換器のＰＩＯ情報が実施の形態１とは異なり、ＰＩＯ情報の１情報に回線状態情報を含ませている。
設置場所Ｙに設置された主機８で出力されたＰＩＯ情報は、実施の形態２と同様、接点ＩＰ変換器５、ＩＰモデム４、ＩＰモデム３、接点ＩＰ変換器２を経由してＩＧ子局１にて収集される。
また、同時に、主機８で出力されたＰＩＯ情報は、接点ＩＰ変換器１３、ＩＰモデム１２、ＩＰモデム１１、接点ＩＰ変換器１０を経由して収集される。
これら２つを区別するため、接点ＩＰ変換器５、ＩＰモデム４、ＩＰモデム３、接点ＩＰ変換器２を回線１とし、接点ＩＰ変換器１３、ＩＰモデム１２、ＩＰモデム１１、接点ＩＰ変換器１０を回線２とする。
【００３５】
ＩＧ子局１では、実施の形態１と同様にプロセス入力処理を行う。
ただし、回線１の接点ＩＰ変換器２と回線２の接点ＩＰ変換器１０から収集することになるため、図１１に示されるフローチャートの通り行う。
図１１では、ステップＳ１で、プロセス入出力の変化を検出し、ステップＳ２で、変化のあったアドレスを認識した後、ステップＳ２１で、回線１の状態が異常かどうかの判定、およびステップＳ２２での変化した情報は回線１の状態情報かどうかの判定を実施し、回線１の状態情報が異常に変化した場合、もしくは異常が継続の場合は、ステップＳ２３で、回線１異常を出力し、ステップＳ２４の回線２の確認に移行する。
ステップＳ２１で、回線１の状態が正常に変化した場合は、ステップＳ２５での変化した情報は回線１の状態情報かどうかの判定を実施し、ステップＳ２６で、回線１の回線状態を正常に移行し、ステップＳ２７で、接点ＩＰ変換器２のＰＩＯ情報を入力情報に変換し、ステップＳ２８で、接点ＩＰ変換器２の入力情報の変化を認識した後、情報内容取得処理に通知する。
回線１の状態が正常のままであれば、実施の形態１と同様、ＰＩＯ情報を入力情報に変換し、変化を認識した後情報内容取得処理に通知する。
【００３６】
ステップＳ２３で、回線１異常を出力した後は、ステップＳ２４で、回線２の状態が異常かどうかの判定、およびステップＳ３３で、変化した情報は回線２の状態情報かどうかの判定を実施し、回線２の状態情報が異常に変化した場合、もしくは異常が継続の場合は、ステップＳ３４で、回線２異常を出力し、ステップＳ１のプロセス入力待ちに移行する。
回線１が異常で回線２の状態情報が正常に変化した場合は、ステップＳ２９で、回線２の状態が異常かどうかの判定を行って、ステップＳ３０で、回線２の回線状態を正常に移行し、ステップＳ３１で、接点ＩＰ変換器１０のＰＩＯ情報を入力情報に変換し、ステップ３２３で、変化を認識した後、情報内容取得処理に通知する。
回線１が異常で回線２の状態が正常であれば、実施の形態１と同様、ＰＩＯ情報を入力情報に変換し、変化を認識した後、情報内容取得処理に通知する。
【００３７】
さらに、情報収集によりＩＧ子局１で回線異常を検出した場合、プロセス出力処理において、回線１もしくは回線２が異常であることの判定を行うことにより主機に伝わらない不要な出力を抑止すること、および一方の回線が異常であっても出力できるため、信頼性を高めることができる。
すなわち、図１２において、ステップＳ５で、プロセス出力情報が有る場合、ステップＳ６で、新規に発生した情報かどうかを判定し、新規でなければ、ステップＳ５に戻り、新規であれば、ステップＳ７で、出力情報をＰＩＯ情報に変換し、ステップＳ８で、該当アドレスに情報を設定して、ステップＳ３５で、回線１の異常を判定し、異常でなければ、ステップＳ３６で、接点ＩＰ変換器２に対して、情報を出力する。ステップＳ３５で、回線１が異常であれば、ステップＳ３７で、回線２の異常を判定し、異常でなければ、ステップＳ３８で、接点ＩＰ変換器１０に対して、情報を出力する。その後、ステップＳ５に戻る。
【００３８】
実施の形態３によれば、従来のようにプログラマブル・コントローラーの自己検出手段である異常検出回路を有して回線異常を検出することなく、ＩＧ子局と２組の接点ＩＰ変換器、ＩＰモデム、そして接点ＩＰ変換器の回線状態確認処理を追加することで、安価でかつ簡便な処理方式にてＰＩＯ情報を信頼性が高い状態で収集・出力することが可能となる。
【００３９】
実施の形態４．
図１３は、この発明の実施の形態４によるＰＩＯ伝送装置システムを示す構成図である。
図１３において、１〜６、８、１０〜１４は図１０におけるものと同一のものである。図１３では、ＰＩＯ情報は回線状態を有していない。
図１４は、図１３のＰＩＯ伝送装置システムのＩＧ子局におけるＰＩＯ情報の入力処理を示すフローチャートである。
図１５は、図１３のＰＩＯ伝送装置システムのＩＧ子局におけるＰＩＯ情報の出力処理を示すフローチャートである。
【００４０】
実施の形態４では、接点ＩＰ変換器、ＩＰモデムの設置構成が実施の形態１及び実施の形態２とは異なり、２式備えている。
また、ＩＧ子局１と接点ＩＰ変換器２間のＰＩＯ情報が、実施の形態２及び実施の形態３とは異なり、ＰＩＯ情報に回線状態を有していない。
図１３で、設置場所Ｙに設置された主機８で出力されたＰＩＯ情報は、実施の形態３と同様、接点ＩＰ変換器５、ＩＰモデム４、ＩＰモデム３、接点ＩＰ変換器２の回線１、および接点ＩＰ変換器１３、ＩＰモデム１２、ＩＰモデム１１、接点ＩＰ変換器１０の回線２を経由してＩＧ子局１にて収集される。
【００４１】
ＩＧ子局１では、実施の形態１と同様にプロセス入力処理を行う。
ただし、回線１の接点ＩＰ変換器２と、回線２の接点ＩＰ変換器１０から収集することになるため、図１４に示されるフローチャートの通りに行う。
図１４において、ステップＳ１で、プロセス入出力の変化を検出し、ステップＳ２で、変化のあったアドレスを認識した後、ステップＳ４１で、接点ＩＰ変換器２と接点ＩＰ変換器１０とで、同じ情報が変化しているかどうかの判定を行い、同じ情報が変化していなければ、ステップＳ４６で、いずれかが不正な動作を行っているものとして回線異常とし、  ステップＳ１のプロセス入力待ちとなる。
ステップＳ４１で、接点ＩＰ変換器２と接点ＩＰ変換器１０とで、同じ情報が変化した場合には、ステップＳ４２で、回線の状態を判定し、回線異常中であれば、ステップＳ４３で、回線正常として、実施の形態１と同様、ステップＳ４４で、接点ＩＰ変換器２のＰＩＯ情報を入力情報に変換し、ステップＳ４５で、変化を認識した後、情報内容取得処理に通知する。
【００４２】
さらに、情報収集によりＩＧ子局１で回線異常を検出した場合、プロセス出力処理において、回線異常であることの判定を行うことにより、主機に伝わらない不要な出力を抑止することができる。
すなわち、図１５において、ステップＳ５で、プロセス出力情報の有無を判定し、有れば、ステップＳ６で、新規に発生した情報であるかどうかを判定し、新規でなければ、ステップＳ５に戻り、新規であれば、ステップＳ７で、出力情報をＰＩＯ情報に変換し、ステップＳ８で、該当アドレスに情報を設定したのち、ステップＳ４７で、回線が異常かどうかを判定し、異常でなければ、接点ＩＰ変換器２に対して情報を出力して、ステップＳ５に戻る。
【００４３】
実施の形態４によれば、従来のようにプログラマブル・コントローラーを用いることなく、ＩＧ子局と、２組の接点ＩＰ変換器とＩＰモデムを用いることで、回線の異常を検出することが可能となる。
【００４４】
実施の形態５．
図１６は、この発明の実施の形態５によるＰＩＯ伝送装置システムを示す構成図である。
図１６において、１、２、５〜９は図１におけるものと同一のものである。図１６では、図１のＩＰモデムに替えて、ＩＰ情報（第二の形式の情報）から電波信号（第一の形式の情報）へ変換する手段である無線ＬＡＮ２１、２２（インタフェイス）をそれぞれ設置場所Ｘ、Ｙに備えている。
【００４５】
図１７は、図１６のＰＩＯ伝送装置システムの無線ＬＡＮにおけるＩＰ情報から電波信号への変換処理及び電波信号からＩＰ情報への変換処理を示す説明図であり、図１７（ａ）は、ＩＰ情報から電波信号への変換処理であり、図１７（ｂ）は、電波信号からＩＰ情報への変換処理である。
【００４６】
実施の形態５では、実施の形態１〜実施の形態４のＩＰモデムによるＩＰ情報からアナログ信号への変換に替えて、ＩＰ情報から電波信号へ変換する無線ＬＡＮを備えている。
ＩＧ子局１にて情報を収集する場合の情報の流れは、主機８、接点ＩＰ変換器５、無線ＬＡＮ２２、無線ＬＡＮ２１、接点ＩＰ変換器２、ＩＧ子局１の順となる。
主機８で出力されたＰＩＯ情報は、実施の形態１と同様に接点ＩＰ変換器５にて処理され、無線ＬＡＮ２２に出力される。
【００４７】
接点ＩＰ変換器５より出力されたＩＰ情報は、図１７（ａ）に示される通り、無線ＬＡＮ２２にて、ＩＰプロトコル通信処理１４１にて入力した通信データを通信データ変換処理１４２によりデジタル情報に変換し、同情報を変調処理１４３により電波信号に変換し、無線ＬＡＮ２１に出力される。
【００４８】
無線ＬＡＮ２２より出力された情報は、図１７（ｂ）に示される通り、無線ＬＡＮ２１にて、入力された電波信号を復調処理１４４によりデジタル情報に変換し、同情報を通信データ変換処理１４５にて通信データ（ＩＰ情報）として変換した後、ＩＰプロトコル通信処理１４６により接点ＩＰ変換器２に出力される。
無線ＬＡＮ２１より出力されたＩＰ情報は、実施の形態１と同様に、接点ＩＰ変換器２にて処理され、ＩＧ子局１に出力される。
ＩＧ子局１においても、実施の形態１と同様に処理することで、自場所Ｘと他場所ＹのＰＩＯ情報を同じ動作で収集することができる。
【００４９】
ＩＧ子局１にて情報を出力する場合の情報の流れは、設置場所Ｙの場合、ＩＧ子局１、接点ＩＰ変換器２、無線ＬＡＮ２１、無線ＬＡＮ２２、接点ＩＰ変換器５、制御リレー６、主機８の順となる。
また、設置場所Ｘの場合、ＩＧ子局１、制御リレー７、主機９となる。
設置場所Ｘの主機９、設置場所Ｙの主機８に対して出力を行う場合、実施の形態１と同様に、接点ＩＰ変換器２、もしくは制御リレー７に情報を出力する。
よって、本実施の形態５においても、自場所Ｘと他場所ＹのＰＩＯ情報を同じ動作で出力することができる。
【００５０】
以下、設置場所毎の出力方法について説明する。
設置場所Ｘについては、実施の形態１と同様にＩＧ子局１により出力されたＰＩＯ情報を制御リレー７で電気レベル変換を行い、主機９に出力される。
設置場所Ｙについては、まず、実施の形態１と同様に、ＩＧ子局１により出力されたＰＩＯ情報は、実施の形態１と同様に接点ＩＰ変換器２より無線ＬＡＮ２１に出力される。
接点ＩＰ変換器２より出力されたＩＰ情報は、図１７（ａ）に示される通り、無線ＬＡＮ２１にて、ＩＰプロトコル通信処理１４１にて入力した通信データを通信データ変換処理１４２によりデジタル情報に変換し、同情報を変調処理１４３により電波信号に変換し、無線ＬＡＮ２２に出力される。
【００５１】
無線ＬＡＮ２１より出力された情報は、図１７（ｂ）に示される通り、無線ＬＡＮ２２にて、入力された電波信号を復調処理１４４によりデジタル情報に変換し、同情報を通信データ変換処理１４５にて通信データ（ＩＰ情報）として変換した後、ＩＰプロトコル通信処理１４６により、接点ＩＰ変換器５に出力される。
無線ＬＡＮ２２より出力されたＩＰ情報は、実施の形態１と同様に制御リレー６に情報を出力する。そして、接点ＩＰ変換器５より出力された情報を制御リレー６で電気レベル変換を行い、主機８に出力する。
【００５２】
実施の形態５によれば、ケーブルで接続することなく、無線ＬＡＮを用いることでケーブル接続が困難な場所間において、総合的に安価でかつ簡便な伝送方式により、ＰＩＯ情報を収集・出力することが可能となる。
【００５３】
実施の形態６．
図１８は、この発明の実施の形態６によるＰＩＯ伝送装置システムを示す構成図である。
図１８において、１、２、５〜９は図１におけるものと同一のものである。図１８では、図１のＩＰモデムに替えて、ＩＰ情報（第二の形式の情報）から光信号（第一の形式の情報）へ変換する手段のメディアコンバータ２３、２４（インタフェイス）をそれぞれ設置場所Ｘ、設置場所Ｙに備えている。メディアコンバータ２３及びメディアコンバータ２４間は、光ケーブル（伝送手段）により接続される。
図１９は、図１８のＰＩＯ伝送装置システムのメディアコンバータにおけるＩＰ情報から光信号への変換処理及び光信号からＩＰ情報への変換処理を示す説明図であり、図１９（ａ）は、ＩＰ情報から光信号への変換処理、図１９（ｂ）は、光信号からＩＰ情報への変換処理である。
【００５４】
実施の形態６は、実施の形態１〜実施の形態４のような、ＩＰ情報からアナログ信号への変換手段であるＩＰモデムに替えて、ＩＰ情報から光信号へ変換するメディアコンバータ２３、２４を設置場所Ｘ、Ｙにそれぞれ備えている。
ＩＧ子局１にて情報を収集する場合の情報の流れは、主機８、接点ＩＰ変換器５、無線ＬＡＮメディアコンバータ２４、メディアコンバータ２３、接点ＩＰ変換器２、ＩＧ子局１の順となる。
主機８で出力されたＰＩＯ情報は、実施の形態１と同様に、接点ＩＰ変換器５にて処理され、メディアコンバータ２４に出力される。
【００５５】
接点ＩＰ変換器５より出力されたＩＰ情報は、図１９（ａ）に示される通り、メディアコンバータ２４にて、ＩＰプロトコル通信処理１６１に入力された通信データを通信データ変換処理１６２によりデジタル情報に変換し、同情報をデジタル−光信号変換処理１６３により光信号に変換し、メディアコンバータ２３に出力される。
【００５６】
メディアコンバータ２４より出力された情報は、図１９（ｂ）に示される通り、メディアコンバータ２３に入力された光信号を光信号−デジタル変換処理１６４によりデジタル情報に変換し、同情報を通信データ変換処理１６５にて通信データ（ＩＰ情報）として変換した後、ＩＰプロトコル通信処理１６６により接点ＩＰ変換器２に出力される。
メディアコンバータ２３より出力されたＩＰ情報は、実施の形態１と同様に、接点ＩＰ変換器２にて処理され、ＩＧ子局１に出力される。
ＩＧ子局１においても、実施の形態１と同様に処理することで、自場所Ｘと他場所ＹのＰＩＯ情報を同じ動作で収集することができる。
【００５７】
ＩＧ子局１にて情報を出力する場合の情報の流れは、設置場所Ｙの場合、ＩＧ子局１、接点ＩＰ変換器２、メディアコンバータ２３、メディアコンバータ２４、接点ＩＰ変換器５、制御リレー６、主機８の順となる。
また、設置場所Ｘの場合、ＩＧ子局１、制御リレー７、主機９となる。
設置場所Ｘの主機９、設置場所Ｙの主機８に対して出力を行う場合、実施の形態１と同様に、接点ＩＰ変換器２、もしくは制御リレー７に情報を出力する。
よって、本実施の形態６においても自場所Ｘと他場所ＹのＰＩＯ情報を同じ動作で出力することができる。
【００５８】
以下、設置場所毎の出力方法について説明する。
設置場所Ｘについては、実施の形態１と同様にＩＧ子局１により出力されたＰＩＯ情報を制御リレー７で電気レベル変換を行い、主機９に出力される。
設置場所Ｙについては、まず実施の形態１と同様に、ＩＧ子局１により出力されたＰＩＯ情報は、実施の形態１と同様に接点ＩＰ変換器２よりメディアコンバータ２３に出力される。
【００５９】
接点ＩＰ変換器２より出力されたＩＰ情報は、図１９（ａ）に示される通り、メディアコンバータ２３にてＩＰプロトコル通信処理１６１にて入力した通信データを通信データ変換処理１６２によりデジタル情報に変換し、同情報をデジタル−光信号変換処理１６３により光信号に変換し、メディアコンバータ２４に出力される。
【００６０】
メディアコンバータ２３より出力された情報は、図１９（ｂ）に示される通り、メディアコンバータ２４にて入力した光信号を光信号−デジタル変換処理１６４によりデジタル情報に変換し、同情報を通信データ変換処理１６５にて通信データ（ＩＰ情報）として変換した後、ＩＰプロトコル通信処理１６６により接点ＩＰ変換器５に出力される。
メディアコンバータ２４より出力されたＩＰ情報は、実施の形態１と同様に、制御リレー６に情報を出力する。そして、接点ＩＰ変換器５より出力されたＰＩＯ情報を制御リレー６で電気レベル変換を行い、主機８に出力する。
【００６１】
実施の形態６によれば、従来のようにケーブルで接続する必要がないため、電磁波の影響を受けやすい場所間等ケーブル敷設が困難な場所間において、メディアコンバータを用いることで、総合的に安価でかつ簡便な伝送方式により、ＰＩＯ情報を収集・出力することが可能となる。
【００６２】
なお、上記各実施の形態においては、接点ＩＰ変換器、ＩＰモデムなどの各装置を一重、ないし二重化して用いる例を示したが、これに限られることはなく、さらに多重化して上記各実施の形態と同様に行うことも可能であり、この場合も同様の効果を奏することは言うまでもない。
【図面の簡単な説明】
【００６３】
【図１】この発明の実施の形態１によるＰＩＯ伝送装置システムを示す構成図である。
【図２】図１のＰＩＯ伝送装置システムのＩＧ子局におけるＰＩＯ情報の入出力処理を示す説明図である。
【図３】図１のＰＩＯ伝送装置システムの接点ＩＰ変換器におけるＰＩＯ情報からＩＰ情報への変換、およびＩＰ情報からＰＩＯ情報への変換処理を示す説明図である。
【図４】図１のＰＩＯ伝送装置システムのＩＰモデムにおけるＩＰ情報からアナログ信号への変換、およびアナログ信号からＩＰ情報への変換処理を示す説明図である。
【図５】図２のＩＧ子局におけるＰＩＯ情報の入出力処理を示すフローチャートである。
【図６】この発明の実施の形態２によるＰＩＯ伝送装置システムを示す構成図である。
【図７】図６のＰＩＯ伝送装置システムの接点ＩＰ変換器におけるＩＰ情報からＰＩＯ情報への変換処理、及びＰＩＯ情報からＩＰ情報への変換処理を示す説明図である。
【図８】図６のＰＩＯ伝送装置システムのＩＧ子局におけるＰＩＯ情報の入力処理を示すフローチャートである。
【図９】図６のＰＩＯ伝送装置システムのＩＧ子局におけるＰＩＯ情報の出力処理を示すフローチャートである。
【図１０】この発明の実施の形態３によるＰＩＯ伝送装置システムを示す構成図である。
【図１１】図１０のＰＩＯ伝送装置システムのＩＧ子局におけるＰＩＯ情報の入力処理を示すフローチャートである。
【図１２】図１０のＰＩＯ伝送装置システムのＩＧ子局におけるＰＩＯ情報の出力処理を示すフローチャートである。
【図１３】この発明の実施の形態４によるＰＩＯ伝送装置システムを示す構成図である。
【図１４】図１３のＰＩＯ伝送装置システムのＩＧ子局におけるＰＩＯ情報の入力処理を示すフローチャートである。
【図１５】図１３のＰＩＯ伝送装置システムのＩＧ子局におけるＰＩＯ情報の出力処理を示すフローチャートである。
【図１６】この発明の実施の形態５によるＰＩＯ伝送装置システムを示す構成図である。
【図１７】図１６のＰＩＯ伝送装置システムの無線ＬＡＮにおけるＩＰ情報から電波信号への変換処理及び電波信号からＩＰ情報への変換処理を示す説明図である。
【図１８】この発明の実施の形態６によるＰＩＯ伝送装置システムを示す構成図である。
【図１９】図１８のＰＩＯ伝送装置システムのメディアコンバータにおけるＩＰ情報から光信号への変換処理及び光信号からＩＰ情報への変換処理を示す説明図である。
【符号の説明】
【００６４】
１  ＩＧ子局
２，５，１０，１３  接点ＩＰ変換器
３，４，１１，１２  ＩＰモデム
６，７，１４  制御リレー
８，９  主機
２１，２２  無線ＬＡＮ
２３，２４  メディアコンバータ
【図１】
2008129783.tif 000003
【図２】
2008129783.tif 000004
【図３】
2008129783.tif 000005
【図４】
2008129783.tif 000006
【図５】
2008129783.tif 000007
【図６】
2008129783.tif 000008
【図７】
2008129783.tif 000009
【図８】
2008129783.tif 000010
【図９】
2008129783.tif 000011
【図１０】
2008129783.tif 000012
【図１１】
2008129783.tif 000013
【図１２】
2008129783.tif 000014
【図１３】
2008129783.tif 000015
【図１４】
2008129783.tif 000016
【図１５】
2008129783.tif 000017
【図１６】
2008129783.tif 000018
【図１７】
2008129783.tif 000019
【図１８】
2008129783.tif 000020
【図１９】
2008129783.tif 000021